(57)【要約】【課題】  広告情報を表示出力する多数の電子看板と看板管理センタとをインターネットや放送回線で結び、配信管理手段が定時的に契約内容に基づいて配信番組スケジュールを生成すると共に配信用コンテンツに配信制御データを添付して多数の電子看板に送出する。【解決手段】  看板管理センタＣ１からのコンテンツを受信して表示出力表示すると共に受信エラーを検出・通知する複数の電子看板１００と、公衆通信回線網Ｎと、所定のコンテンツを通信回線に接続制御する通信制御センタ（Ｍ）２０と、広告クライアントとの受注・契約管理や売上管理を行う取引管理サーバ５と電子看板制御サーバ６と看板用コンテンツＤＢ７と看板管理ＤＢ８と売上管理ＤＢなどを有するデータセンタＣ２とからなる看板管理センターＣ１と、データ収集手段９と収集データＤＢ１０とを有するデータ収集センタＣ３とで基本構成する。【選択図】  図１
2005092164.tif 000002
【特許請求の範囲】
【請求項１】
インターネットや通信回線網に通信接続され、画像、音声、テキストなどの広告情報（以下コンテンツと略称する）を表示出力する複数の電子看板装置に、広告の掲載依頼者（以下  広告クライアントと略称する）との契約に基づき所定のコンテンツを公衆通信回線網もしくは放送回線を経由して、任意の電子看板装置（以下  電子看板と略称する）に配信する看板管理センタとで構成する電子看板システ厶に於いて、
前記看板管理センタからの所定のコンテンツを受信・表示すると共に受信エラーを検出・通知する複数の電子看板と、前記公衆通信回線網もしくは放送回線と、前記看板管理センタからの所定のコンテンツを最適選択した通信回線又は放送回線に接続制御する通信制御センタ（Ｍ）と、広告クライアントに提供する広告媒体である前記電子看板及びコンテンツの受注・契約管理や売上管理を行う取引管理サーバとコンテンツの配信管理及び電子看板の稼働管理を行う電子看板制御サーバと前記コンテンツデータを記憶している看板用コンテンツＤＢ、配信実績データ並びに契約管理データなどを記憶している看板管理ＤＢと売上管理データなどを記憶している売上管理ＤＢなどを有するデータセンターとからなる看板管理センターと、前記公衆通信回線網を経由して前記電子看板から記憶登録された配信データを収集するデータ収集手段と収集データを記憶する収集データＤＢとを有するデータ収集センタとで基本構成することを特徴とする多目的電子看板システム。
【請求項２】
前記電子看板を、
前記通信回線又は放送回線を経由して前記看板管理センタと通信接続制御を行う通信制御部と、該通信接続に伴う通信エラーの検出する通信エラー検出部と、所定のサイトにエラー通知を行う通信エラー通知検知部と、前記コンテンツを選択受信するコンテンツデータ受信部と、受信したコンテンツデータと配信先、コンテンツ種別、掲示時間、表示制御、他の配信データ及び通信エラーデータなどを記憶しているコンテンツ記憶部と、該コンテンツデータより画像信号データ及び音声信号データなどを分離生成する表示データ生成部と、該画像信号データを画像表示する表示部と、該音声信号データを音声出力する音声出力部と、タッチパネルや操作ボタンなどの操作入力部と、外部装置との接続制御を行うＩ／Ｏ手段と、電子看板の動作制御を行う電子看板制御部とで構成することを特徴とする請求項１に記載の多目的電子看板システム。
【請求項３】
前記電子看板に、
携帯電話や携帯端末などと専用通信回線を経由して通信接続され、該電子看板を通信接続制御を行う通信中継手段と、基地局ＩＤ（基地局番号）を記憶している基地局ＩＤメモリと、電子看板に配信されたコンテンツデータを転送するコンテンツ転送手段と、外部装置との接続制御を行うＩ／Ｏ手段とを有するローカル基地局と、
前記ローカル基地局間及び携帯電話やＰＤＡ（Ｐｅｒｓｏｎａｌ  Ｄｉｇｉｔａｌ  Ａｓｓｉｓｔａｎｔｓ）などの携帯端末との無線通信接続を可能とする専用通信回線と、
該専用通信回線を通信制御する通信制御センタ（Ｓ）とを追加設置することを特徴とする請求項２に記載の多目的電子看板システム。
【請求項４】
前記電子看板に、
監視対象場面や人物などを撮像し映像信号を生成する撮像部と、該映像信号にデータ圧縮、合成・重畳などの画像処理を行い撮像データとする画像処理部と、該撮像データを送信する撮像データ送信部と、装置の各部を動作制御するカメラ制御部とを有するカメラ手段を追加設置することを特徴とする請求項２に記載の多目的電子看板システ厶。
【請求項５】
前記電子看板に、
前記Ｉ／Ｏ手段を経由してコンテンツの販売を受付ける販売コンテンツ受付部と、該販売受付したコンテンツの配信を前記看板管理センタに請求するコンテンツ請求部とを有する販売コンテンツ手段を追加設置することを特徴とする請求項３に記載の多目的電子看板システム。
【請求項６】
前記看板管理センターを、
前記電子看板へのコンテンツ配信サービスを利用する広告クライアントとの受注管理を行う受注管理部と受注活動に必要なコンテンツ配信サービス枠を管理する受注枠管理部とを有する受注管理手段と、該配信サービスの売上管理を行う売上管理部を有する売上管理手段と、装置間の通信制御を行う通信制御手段と、を有する取引管理サーバと、
該電子看板へのコンテンツ配信を管理する配信管理部と電子看板毎に配信コンテンツ種別、配信日時秒などの稼働実績を管理する稼働実績管理部とから成る配信管理手段と、配信エラー管理する配信エラー管理部と前記電子看板の設置場所、設置者、設置条件などの設置契約を管理する設置契約管理部とから成る看板管理手段とを有する電子看板制御サーバと、
前記電子看板に配信する動画データ、画像データ、音声データ、テキストデータ、ＣＧデータなど看板用コンテンツデータを記憶している看板用コンテンツＤＢと、コンテンツを掲示する日時、看板設置地域、掲示時間帯、配信対象電子看板台数、配信回数、及びコンテンツ種別などの受注管理データと受注契約後該受注管理データを確定契約データとして登録する契約管理データや稼働実績データと電子看板の看板ＩＤ、看板設置場所、看板利用単金テーブルなどの看板管理データなどを有する看板管理ＤＢと、
広告クライアント毎の配信サービス売上管理データを登録記憶している売上管理ファイルを有する売上管理ＤＢとで構成することを特徴とする請求項１に記載の多目的電子看板システム。
【請求項７】
前記看板管理センタの取引管理サーバに、
前記電子看板経由でメロディ、音楽、動画、テキスト、壁紙データなどの販売用コンテツを購入するコンテンツ利用会員の取引管理を行う会員管理部と、会員登録を行う会員登録部と、会員管理部へのアクセスを管理を行うアクセス管理部と、購入希望のコンテンツの配信を指令するコンテンツ配信部と、コンテンツ配信に伴う会員毎の課金を管理する課金管理部を有するコンテンツ販売管理手段とを追加設置することを特徴とする請求項６に記載の多目的電子看板システム。
【請求項８】
前記売上管理ＤＢに、会員ＩＤ、会員名、支払手段、連絡手段などを登録記憶する会員管理ファイルと、該会員毎の課金データを記憶している会員課金ファイルとを追加設置することを特徴とする請求項７に記載の多目的電子看板システム。
【請求項９】
前記データ収集センタを、
前記電子看板に定時的にアクアセスする通信制御手段と、該当コンテンツ記憶部より配信済の配信データを収集する配信データ収集部と該電子看板が通知した配信エラーデータを収集する配信エラー収集部とを有するデータ収集手段と、収集した配信データを記憶する配信データファイルと通知受信した配信エラーデータを記憶する配信エラーデータファイルとを有する収集ＤＢとで構成することを特徴とする請求項１に記載の多目的電子看板システム。
【請求項１０】
前記データ収集センタに、
電子看板より送信される撮像データを収集するカメラデータ収集部と、該カメラデータを記憶している監視データファイルと、該監視データを所定のサイトに送信する監視データ送信部とを追加設置することを特徴とする請求項９に記載の多目的電子看板システム。
【請求項１１】
前記通信制御センタ（Ｍ）を、
構内通信回線との通信制御を行う通信制御手段と、前記看板管理センタからのコンテンツデータ及び配信制御データの受信制御を行う受信制御手段と、前記配信制御データに基づき配信制御行う配信制御手段と、同じく配信制御データに基づき割込配信制御を行う割込制御手段と、前記公衆通信回線網もしくは放送回線との通信制御を行う公衆回線制御手段とで構成することを特徴とする請求項１に記載の多目的電子看板システム。
【請求項１２】
インターネットや通信回線網に通信接続され、動画、画像、音声、テキストなどの広告情報（以下  コンテンツと略称する）を表示出力する複数の電子看板に、広告クライアントとの契約に基づき所定のコンテンツを公衆通信回線網もしくは放送回線を経由して、任意の電子看板に配信する看板管理センタとで構成する電子看板システムに於いて、
前記看板管理センタからの所定のコンテンツを受信・表示すると共に受信エラーを検出・通知する複数の電子看板と、前記公衆通信回線網もしくは放送回線と、前記看板管理センタからの所定のコンテンツを最適選択した通信回線又は放送回線に接続制御する通信制御センタ（Ｍ）と、広告クライアントに提供する広告媒体である前記電子看板及びコンテンツの受注・契約管理、売上管理を行う取引管理サーバとコンテンツの配信管理及び電子看板の稼働管理を行う電子看板サーバと該コンテンツデータを記憶している看板用コンテンツＤＢ、配信実績データ並びに契約管理データなどを記憶している看板管理ＤＢと売上管理データなどを記憶している売上管理ＤＢなどを有するデータセンターとからなる看板管理センターと、前記公衆通信回線網を経由して前記電子看板から配信データを収集するデータ収集手段と収集データを記憶する収集データＤＢとを有するデータ収集センタとで基本構成する多目的電子看板システ厶を用いて、
商談（地域、電子看板の台数、コンテンツ、時間帯、利用時間）に際し、前記取引管理サーバは利用可能な受注枠を検索して通知し、地域、台数、コンテンツ、時間帯、利用時間などの契約内容を前記看板管理ＤＢに登録し、新規コンテンツが必要な場合、コンテンツ制作センタに制作依頼すると共に制作済コンテンツは前記コンテンツＤＢに登録格納し、前記配信管理手段は看板管理ＤＢより定時的に契約内容を読出し、該内容に基づいて配信番組スケジュールルを生成すると共に配信用コンテンツに配信データを添付して送出し、該配信用コンテンツは、構内通信回線を経由して前記通信制御センタ（Ｍ）もしくは放送センタ、又は前記公衆通信回線網に送出し、通信制御センタ（Ｍ））もしくは放送センタは該配信用コンテンツを一旦記憶装置に記憶、もしくは直接転送して公衆通信回線網又は放送回線に送出することを特徴とする多目的電子看板の配信方法。
【請求項１３】
請求項１乃至８に記載の多目的電子看板システムを用いて、
電子看板は、公衆通信回線網または放送回線より配信データを配信データに基づいて選択受信し、受信コンテンツデータ及び配信データをコンテンツ記憶部に一旦記憶し、電子看板制御部は随時受信したコンテンツデータを読出して表示データ生成部に入力し、表示データ生成部は表示データを生成し、該表示データは表示部及び音声出力部より画像表示もしくは音声出力することを特徴とする請求項１２に記載の多目的電子看板の配信方法。
【請求項１４】
請求項１乃至１１に記載の多目的電子看板システムを用いて、
通信エラー検出部は、選択受信した受信コンテンツデータ及び配信制御データの通信エラー検知し、該通信エラーを電子看板制御サーバ及びデータ収集センタに通知し、電子看板サーバは、配信内容及び配信エラーなどを配信実績として看板管理ＤＢに随時記憶すると共に、通信エラーが発生した場合、基本的に再送信を指示することを特徴とする請求項１２に記載の多目的電子看板の配信方法。
【請求項１５】
請求項１乃至１１に記載の多目的電子看板システムを用いて、
取引管理サーバは、定時的に配信実績データを読出し、集計すると共に看板配信売上を算出し、看板配信契約者毎に売上管理ファイルに記憶登録することを特徴とする請求項１２に記載の多目的電子看板の配信方法。
【請求項１６】
請求項１２に記載の多目的電子看板システムの電子看板に請求項３に記載のローカル基地局を追加設置して、
前記ローカル基地局間、ローカル基地局と携帯電話やＰＤＡ（Ｐｅｒｓｏｎａｌ  Ｄｉｇｉｔａｌ  Ａｓｓｉｓｔａｎｔｓ）などの携帯端末間と、又は携帯端末相互間との無線通信接続を可能とすることを特徴とする請求項１２に記載の多目的電子看板の配信方法。
【請求項１７】
請求項３に記載の多目的電子看板システムの電子看板を用いて、
携帯電話やＰＤＡなどの携帯端末よりコンテンツの検索やリクエストを可能とする機能を持たせることを特徴とする請求項１６に記載の多目的電子看板の配信方法。
【請求項１８】
請求項３に記載の多目的電子看板システムの電子看板及び請求項５に記載の電子看板システムを用いて、
携帯電話やＰＤＡなどの携帯端末より販売用コンテンツのダウンロード購入を可能とすることを特徴とする請求項１６に記載の多目的電子看板の配信方法。
【請求項１９】
前記電子看板のコンテンツ記憶部に、
コンテンツの掲示日時、コンテンツ種別、看板制御データなどを記憶登録し、看板管理センタもしくはデータ収集センタからの送信請求に基づいて記憶内容を送信する機能を持たせることを特徴とする請求項１２に記載の多目的電子看板の配信方法。
【請求項２０】
前記通信制御センタ（Ｍ）に、
災害警報、犯罪発生等の緊急情報、緊急度の高い一斉放送情報などを定時番組（コンテンツ）に優先して配信する割込制御機能を持たせることを特徴とする請求項１２に記載の多目的電子看板の配信方法。
【請求項２１】
前記看板管理センタの取引管理サーバに、
電子看板での広告掲載商談に際し、掲載地域、電子看板台数、コンテンツ、時間帯、利用時間など利用可能枠を検索すると共に利用可能枠を通知する機能を持たせることを特徴とする請求項１２に記載の多目的電子看板の配信方法。
【請求項２２】
前記通信制御センタ（Ｍ）に、
電子看板に送出するコンテンツの種別、コンテンツの情報量、回線のデータ転送速度、回線料金、回線の輻輳状況などのパラメータに基づき最適回線を選択する最適回線選択機能を持たせることを特徴とする請求項１２に記載の多目的電子看板の配信方法。
【請求項２３】
前記電子看板制御サーバに、
電子看板より通信エラーの通知を随時受付登録すると共に、該電子看板に該当コンテンツデータを直ちに再配信する機能を持たせることを特徴とする請求項１２に記載の多目的電子看板の配信方法。
【請求項２４】
前記電子看板制御サーバに、
電子看板より通信エラーの通知を随時受付登録すると共に、再配信でも通信エラー、動画の一部・音楽データ・音声データなどコンテンツの連続性、他コンテンツへの配信影響などを勘案して再配信を行わない機能を持たせることを特徴とする請求項１２に記載の多目的電子看板の配信方法。
【請求項２５】
前記電子看板制御サーバに、
電子看板毎の配信実績データを収集し、データセンタの看板管理ＤＢに登録すると共に該配信実績データを定時的に読出し、広告クライアント毎に電子看板利用料金を集計し、売上管理ＤＢに登録する機能を持たせることを特徴とする請求項１２に記載の多目的電子看板の配信方法。
【請求項２６】
前記看板利用料金の計算を、
（１）計算式のパラメータ
看板設置地域ランク：ｌ、  掲示時間帯：ｂ、  月日・曜日：ｄ
配信コンテンツ種別：ｃ、  配信看板台数：ｎ、  掲示回数：ｍ
（２）計算式
配信利用単金関数（単位時間当り金額）：Ａ（＠）
Ａ（＠）＝Ａ（ｌ，ｄ，ｂ，ｃ）
（３）配信利用料金：Ｕ
Ｕ＝Σ（Ａ（＠）×ｎ×ｍ（又はｔ））
とすることを特徴とする請求項１２及び２５に記載の多目的電子看板の配信方法。
【請求項２７】
前記電子看板制御サーバに、
配信コンテンツ種別、掲示時間帯、配信時分秒などを、電子看板毎に、日、週、月、年単位などで集計した看板利用データを看板管理ＤＢに登録する機能を持たせることを特徴とする請求項１２に記載の多目的電子看板の配信方法。
【請求項２８】
前記電子看板制御サーバに、
前記看板管理ＤＢに登録された看板利用データを電子看板設置者毎に再集計し、看板利用データ量に比例した看板利用料金算出機能を持たせることを特徴とする請求項１２及び２７に記載の多目的電子看板の配信方法。
【請求項２９】
前記取引管理サーバに、
会員登録された携帯端末のみに電子看板を経由して販売用コンテンツのダウンロードを許可すると共に課金処理を行う機能を持たせることを特徴とする請求項１２及び１６に記載の多目的電子看板の配信方法。
【請求項３０】
前記データ収集センタに、
定時的に全ての電子看板にアクセスし、コンテンツ記憶部に登録されているコンテンツ種別、配信時間、配信回数、通信エラーなどのデータを収集し、記憶登録する機能を持たせることを特徴とする請求項１２に記載の多目的電子看板の配信方法。
【請求項３１】
前記データ収集センタ及び通信制御センタ（Ｍ）は、
電子看板からの通信エラーデータは随時優先的に受付ることを特徴とする請求項１２に記載の多目的電子看板の配信方法。
【請求項３２】
前記データ収集センタに、
電子看板から撮像データを随時受信し、監視データとして一時的に記憶すると共に所定のサイトに再送信する機能を持たせることを特徴とする請求項１２に記載の多目的電子看板の配信方法。
【発明の詳細な説明】
【発明の詳細な説明】
【技術分野】
【０００１】  画像、音声、テキストなどの広告情報を表示出力する多数の電子看板と看板管理センタとをインターネットや放送回線で結んだ多目的電子看板システムと、広告掲載料金を掲示地域、掲示時間帯、コンテンツの種別、看板装置台数などに基づき算出する電子看板のビジネスモデルに係わる。
【背景技術】
【０００２】  複数の電子看板と看板管理センタとをインターネットや放送回線で結んだ電子看板システ厶は実用化されている。複数のコンテンツは看板管理センタより複数チャンネルに分けて一斉に配信され、該電子看板は任意のチャンネルを選択受信して表示出力する。
電子看板へのコンテンツ掲載利用者（以下  クライアントと云う）は、特定チャンネルの利用権を掲載時間とコンテンツ種別に対応して支払うのが一般的である。
従来技術によるコンテンツの配信方法では、
（１）クライアントは特定地域・特定の電子看板を任意に選択利用することが出来ない。
（２）任意の電子看板に時間帯毎に異なるコンテンツの配信が出来ない。
（３）通信エラーの発生に対応出来ない。
（４）電子看板別にコンテンツ掲示実績の集計が出来ない為、クライアントに木目細かいサービスの提供が出来ない。
などの問題点がある。
【発明が解決しようとする課題】
【０００３】  本発明は、以上に説明した問題点に鑑み、広告情報を表示出力する多数の電子看板と看板管理センタとをインターネットや放送回線で結び、商談に際し利用可能な受注枠を検索して通知して契約した後看板管理センタ内に登録する。配信管理手段は、定時的に契約内容を読出し該内容に基づいて配信番組スケジュールを生成すると共に配信用コンテンツに配信制御データを添付して多数の電子看板に送出し、電子看板は、選択受信した配信用コンテンツに基づいて表示出力すると共に通信エラーを検出・通知する多目的電子看板システ厶と電子看板の配信方法の提案を目的とする。
【課題を解決するための手段】
【０００４】  多目的電子看板システムを、
インターネットや通信回線網に通信接続され、画像、音声、テキストなどのコンテンツを表示出力する複数の電子看板に、広告クライアントとの契約に基づき所定のコンテンツを公衆通信回線網もしくは放送回線を経由して、任意の電子看板に配信する看板管理センタで構成する電子看板システムに於いて、
看板管理センタからの所定のコンテンツを受信・表示すると共に受信エラーを検出・通知する複数の電子看板と、公衆通信回線網もしくは放送回線と、看板管理センタからの所定のコンテンツを最適選択した通信回線又は放送回線に接続制御する通信制御センタ（Ｍ）と、広告クライアントに提供する広告媒体である電子看板及びコンテンツの受注・契約管理や売上管理を行う取引管理サーバとコンテンツの配信管理及び電子看板の稼働管理を行う電子看板制御サーバとコンテンツデータを記憶している看板用コンテンツＤＢ、配信実績データ並びに契約管理データなどを記憶している看板管理ＤＢと売上管理データなどを記憶している売上管理ＤＢなどを有するデータセンターとからなる看板管理センターと、公衆通信回線網を経由して電子看板から記憶登録しているコンテンツ種別、掲示時間、表示制御などの配信データを収集するデータ収集手段と収集データを記憶する収集データＤＢとを有するデータ収集センタとで基本構成する。
【０００５】  前記電子看板を、
通信回線又は放送回線を経由して看板管理センタと通信接続制御を行う通信制御部と、該通信接続に伴う通信エラーの検出部と、所定のサイトにエラー通知を行う通信エラー通知検知部と、コンテンツを選択受信するコンテンツデータ受信部と、受信したコンテンツデータとコンテンツ種別、掲示時間、表示制御、他の配信データ及び配信エラーダータなどを記憶しているコンテンツ記憶部と、該コンテンツデータより画像信号データ及び音声信号データなどを分離生成する表示データ生成部と、該画像信号データを画像表示する表示部と、該音声信号データを音声出力する音声出力部と、タッチパネルや操作ボタンなどの操作入力部と、外部装置との接続制御を行うＩ／Ｏ手段と、電子看板の動作制御を行う電子看板制御部とで構成する。
【０００６】  前記電子看板に、
携帯電話や携帯端末などと専用通信回線を経由して通信接続され、該電子看板を通信接続制御を行う通信中継手段と、基地局ＩＤを記憶している基地局ＩＤメモリと、電子看板に配信されたコンテンツデータを転送するコンテンツ転送手段と、外部装置との接続制御を行うＩ／Ｏ手段とを有するローカル基地局と、
前記ローカル基地局間及び携帯電話やＰＤＡなどの携帯端末との無線通信接続を可能とする専用通信回線と、
該専用通信回線を通信制御する通信制御センタ（Ｓ）とを追加設置する。
【０００７】  前記電子看板に、
監視対象場面や人物などを撮像し映像信号を生成する撮像部と、該映像信号にデータ圧縮、合成・重畳などの画像処理を行い撮像データとする画像処理部と、該撮像データを送信する撮像データ送信部と、装置の各部を動作制御するカメラ制御部とを有するカメラ手段を追加設置する。
【０００８】  前記電子看板に、
Ｉ／Ｏ手段を経由してコンテンツの販売を受付ける販売コンテンツ受付部と、該販売受付したコンテンツの配信を看板管理センタに請求するコンテンツ請求部とを有する販売コンテンツ手段を追加設置する。
【０００９】  前記看板管理センターを、
電子看板へのコンテンツ配信サービスを利用する広告クライアントとの受注管理を行う受注管理部と受注活動に必要なコンテンツ配信サービス枠を管理する受注枠管理部とを有する受注管理手段と、該配信サービスの売上管理を行う売上管理部を有する売上管理手段と、装置間の通信制御を行う通信制御手段と、を有する取引管理サーバと、
該電子看板へのコンテンツ配信を管理する配信管理部と電子看板毎に配信コンテンツ種別、配信日時秒などの稼働実績を管理する稼働実績管理部とをから成る配信管理手段と、配信エラー管理する配信エラー管理部と電子看板の設置場所、設置者、設置条件などの設置契約を管理する設置契約管理部とから成る看板管理手段とを有する電子看板制御サーバと、
電子看板に配信する動画データ、画像データ、音声データ、テキストデータ、ＣＧデータなど看板用コンテンツデータを記憶している看板用コンテンツＤＢと、コンテンツを配信する日時、看板設置地域、掲示時間帯、配信対象電子看板台数、配信回数、及びコンテンツ種別などの受注管理データと受注契約後該受注管理データを確定契約データとして登録する契約管理データや稼働実績データと電子看板の看板ＩＤ、看板設置場所、看板利用単金テーブルなどの看板管理データなどを有する看板管理ＤＢと、
広告クライアント毎の配信サービス売上管理データを登録記憶している売上管理ファイルを有する売上管理ＤＢとで構成する。
【００１０】  前記看板管理センタの取引管理サーバに、
電子看板経由でメロディ、音楽、アニメ、テキスト、壁紙データなどの販売用コンテツを購入するコンテンツ利用会員の取引管理を行う会員管理部と、会員登録を行う会員登録部と、会員管理部へのアクセスを管理を行うアクセス管理部と、購入希望のコンテンツの配信を指令するコンテンツ配信部と、コンテンツ配信に伴う会員毎の課金を管理する課金管理と有するコンテンツ販売管理手段とを追加設置する。
【００１１】  前記売上管理ＤＢに、
会員ＩＤ、会員名、支払手段、連絡手段などを登録記憶する会員管理ファイルと、該会員毎の課金データを記憶している会員課金ファイルとを追加設置する。
【００１２】  前記データ収集センタを、
電子看板に定時的にアクアセスする通信制御手段と、コンテンツ記憶部より配信済のコンテンツデータを収集する配信データ収集部と該電子看板が通知した配信エラーデータを収集する配信エラー収集部とを有するデータ収集手段と、収集した配信データを記憶する配信データファイルと通知受信した配信エラーデータを記憶する配信エラーデータファイルとを有する収集ＤＢとで構成する。
【００１３】  前記データ収集センタに、
電子看板より送信される撮像データを収集するカメラデータ収集部と、該カメラデータを記憶している監視データファイルと、該監視データを所定のサイトに送信する監視データ送信部とを追加設置する。
【００１４】  前記通信制御センタ（Ｍ）を、
構内通信回線との通信制御を行う通信制御手段と、看板管理センタからのコンテンツデータ及び配信制御データの受信制御を行う受信制御手段と、配信制御データに基づき配信制御行う配信制御手段と、同じく配信制御データに基づき割込配信制御を行う割込制御手段と、公衆通信回線網もしくは放送回線との通信制御を行う公衆回線制御手段とで構成する。
【００１５】  多目的電子看板の基本配信方法は、
インターネットや通信回線網に通信接続され、画像、音声、テキストなどのコンテンツを表示出力する複数の電子看板に、広告クライアントとの契約に基づき所定のコンテンツを公衆通信回線網もしくは放送回線を経由して、任意の電子看板に配信する看板管理センタとで構成する電子看板システムに於いて、
看板管理センタからの所定のコンテンツを受信・表示すると共に受信エラーを検出・通知する複数の電子看板と、公衆通信回線網もしくは放送回線と、看板管理センタからの所定のコンテンツを最適選択した通信回線又は放送回線に接続制御する通信制御センタ（Ｍ）と、広告クライアントに提供する広告媒体である電子看板及びコンテンツの受注・契約管理、売上管理を行う取引管理サーバとコンテンツの配信管理及び電子看板の稼働管理を行う電子看板サーバとコンテンツデータを記憶している看板用コンテンツＤＢ、配信実績データ並びに契約管理データなどを記憶している看板管理ＤＢと売上管理データなどを記憶している売上管理ＤＢなどを有するデータセンターとからなる看板管理センターと、公衆通信回線網を経由して電子看板から配信データを収集するデータ収集手段と収集データを記憶する収集データＤＢとを有するデータ収集センタとで基本構成する多目的電子看板システムを用いて、
商談（地域、電子看板の台数、コンテンツ、時間帯、利用時間）に際し、取引管理サーバは利用可能な受注枠を検索して通知し、地域、台数、コンテンツ、時間帯、利用時間などの契約内容を看板管理ＤＢに登録し、新規コンテンツが必要な場合、コンテンツ制作センタに制作依頼すると共に制作済コンテンツはコンテンツＤＢに登録格納し、配信管理手段は看板管理ＤＢより定時的に契約内容を読出し、該内容に基づいて配信番組スケジュールルを生成すると共に配信用コンテンツに配信制御データを添付して送出し、該配信用コンテンツは、構内通信回線を経由して通信制御センタ（Ｍ）もしくは放送センタ、又は公衆通信回線網に送出し、通信制御センタ（Ｍ））もしくは放送センタは該配信用コンテンツを一旦記憶装置に記憶、もしくは直接転送して公衆通信回線網又は放送回線に送出する。
【００１６】  多目的電子看板の第２の配信方法は、
電子看板は、公衆通信回線網または放送回線より配信データを配信制御データに基づいて選択受信し、受信コンテンツ及び配信制御データをコンテンツ記憶部に一旦記憶し、電子看板制御部は随時受信コンテンツデータを読出し表示データ生成部に入力し、表示データ生成部は表示データを生成し、該表示データは表示部及び音声出力部より画像表示もしくは音声出力する。
【００１７】  多目的電子看板の第３の配信方法は、
通信エラー検出部は、選択受信した受信コンテンツ及び配信制御データの通信エラー検知し、該通信エラーを電子看板制御サーバ及びデータ収集センタに通知し、電子看板サーバは、配信内容及び配信エラーなどを配信実績として看板管理ＤＢに随時記憶すると共に、通信エラーが発生した場合、基本的に再送信を指示する。
【００１８】  多目的電子看板の第３の配信方法は、
取引管理サーバは、定時的に配信実績データを読出し、集計すると共に看板配信売上を算出し、看板配信契約者毎に売上管理ファイルに記憶登録する。
【００１９】  多目的電子看板システムの電子看板にローカル基地局を追加設置して、
ローカル基地局間、ローカル基地局と携帯電話やＰＤＡ（Ｐｅｒｓｏｎａｌ  Ｄｉｇｉｔａｌ  Ａｓｓｉｓｔａｎｔｓ）などの携帯端末間と、又は携帯端末相互間の無線通信接続を可能とする。
【００２０】  携帯電話やＰＤＡなどの携帯端末よりコンテンツの検索やリクエストを可能とする機能を持たせる。
【００２１】  携帯電話やＰＤＡなどの携帯端末より販売用コンテンツのダウンロード購入を可能とする。
【００２２】  電子看板のコンテンツ記憶部に、
コンテンツの配信日時、コンテンツ種別、看板制御データなどを記憶登録し、看板管理センタもしくはデータ収集センタからの送信請求に基づいて記憶内容を送信する機能を持たせる。
【００２３】  前記通信制御センタ（Ｍ）に、
災害警報、犯罪発生等の緊急情報、緊急度の高い一斉放送情報などを定時番組（コンテンツ）に優先して配信する割込制御機能を持たせる。
【００２４】  前記看板管理センタの取引管理サーバに、
電子看板での広告掲載商談に際し、掲載地域、電子看板台数、コンテンツ、時間帯、利用時間など利用可能な利用枠を検索すると共に利用可能枠を通知する機能を持たせる。
【００２５】  前記通信制御センタ（Ｍ）に、
電子看板に送出するコンテンツの種別、コンテンツの情報量、最低データ転送速度、回線料金、回線の輻輳状況などのパラメータに基づき最適回線を選択する最適回線選択機能を持たせる。
【００２６】  前記電子看板制御サーバに、
電子看板より通信エラーの通知を随時受付登録すると共に、該電子看板に該当コンテンツデータを直ちに再配信する機能を持たせる。
【００２７】  前記電子看板制御サーバに、
電子看板より通信エラーの通知を随時受付登録すると共に、再配信でも通信エラー、動画の一部・音楽データ・音声データなどコンテンツの連続性、他コンテンツへの配信影響などを勘案して再配信を行わない機能を持たせる。
【００２８】  前記電子看板制御サーバに、
電子看板毎の配信実績データを収集し、データセンタの看板管理ＤＢに登録すると共に該配信実績データをを定時的に読出し、広告クライアント毎に電子看板利用料金を集計し、売上管理ＤＢに登録する機能を持たせる。
【００２９】  前記看板利用料金の計算を、
（１）計算式のパラメータ
看板設置地域ランク：ｌ、  掲示時間帯：ｂ、  月日・曜日：ｄ
配信コンテンツ種別：ｃ、  配信看板台数：ｎ、  掲示回数：ｍ
（２）計算式
配信利用単金関数（単位時間当り金額）：Ａ（＠）
Ａ（＠）＝Ａ（ｌ，ｄ，ｂ，ｃ）
（３）配信利用料金：Ｕ
Ｕ＝Σ（Ａ（＠）×ｎ×ｍ（又はｔ））
とする
【００３０】  前記電子看板制御サーバに、
配信コンテンツ種別、掲示時間帯、配信時分秒などを、電子看板毎に、日、週、月、年単位などで集計した看板利用データを看板管理ＤＢに登録する機能を持たせる。
【００３１】  前記電子看板制御サーバに、
看板管理ＤＢに登録された看板利用データを電子看板設置者毎に再集計し、看板利用データ量に比例した看板利用料金算出機能を持たせる。
【００３２】  前記取引管理サーバに、
会員登録された携帯端末のみに電子看板を経由して販売用コンテンツのダウンロードを許可すると共に課金処理を行う機能を持たせる。
【００３３】  前記データ収集センタに、
定時的に全ての電子看板にアクセスし、コンテンツ記憶部に登録されているコンテンツ種別、配信時間、配信回数、通信エラーなどのデータを収集し、記憶登録する機能を持たせる。
【００３４】  前記データ収集センタ及び通信制御センタ（Ｍ）は、
電子看板からの通信エラーデータは随時優先的に受付る。
【００３５】  前記データ収集センタに、
電子看板から撮像データを随時受信し、監視データとして一時的に記憶すると共に所定のサイトに再送信する機能を持たせる。
【発明を実施するための最良の形態】
【００３６】  図１に示す本発明による多目的電子看板システムの第一の実施例の基本システ厶構成図を用いて、本願システムの基本構成を説明する。
実施例の多目的電子看板システムは、
広告クライアントとの契約に基づき所定のコンテンツを公衆通信回線網もしくは放送回線を経由して、任意の電子看板に配信する看板管理センタで構成する電子看板システムに於いて、
看板管理センタＣ１からの所定のコンテンツを受信し、画像、音声、テキストなどのコンテンツを表示出力表示すると共に受信エラーを検出・通知する複数の電子看板１００と、インターネットを構成する公衆通信回線網Ｎもしくは放送回線と、看板管理センタＣ１からの所定のコンテンツを最適選択した通信回線又は放送回線に接続制御する通信制御センタ（Ｍ）２０と、広告クライアントに提供する広告媒体である電子看板１００及びコンテンツの受注・契約管理や売上管理を行う取引管理サーバ５とコンテンツの配信管理及び電子看板の稼働管理を行う電子看板制御サーバ６とコンテンツデータを記憶している看板用コンテンツＤＢ７、配信実績データ並びに契約管理データなどを記憶している看板管理ＤＢ８と売上管理データなどを記憶している売上管理ＤＢなどを有するデータセンタＣ２とからなる看板管理センターＣ１と、公衆通信回線網Ｎを経由して電子看板１００，１００’，１００Ａから配信データを収集するデータ収集手段９と収集データを記憶する収集データＤＢ１０とを有するデータ収集センタＣ３とで基本構成される。【００３７】  図２に示す本発明による多目的電子看板システムの第二の実施例の部分構成図を用いて、本願システムの詳細構成を説明する。
第二の実施例の多目的電子看板システムの電子看板１００は、公衆通信回線網Ｎ又は放送回線を経由して看板管理センタＣ１と通信接続制御を行う通信制御部１０９と、該通信接続制御伴う通信エラーを検出する通信エラー検出部１１０と、所定のサイトにエラー通知を行う通信エラー通知部１１１と、コンテンツを選択受信するコンテンツデータ受信部１０８と、受信したコンテンツデータとコンテンツ種別、掲示時間、表示制御、他の配信データと配信エラーデータなどを記憶しているコンテンツ記憶部１０６と、該コンテンツデータより画像信号データ及び音声信号データなどを分離生成する表示データ生成部１０３と、該画像信号データを画像表示する表示部１０１と、該音声信号データを音声出力する音声出力部１０２と、タッチパネルや操作ボタンなどの操作入力部１０５と、外部装置との接続制御を行うＩ／Ｏ手段１１３、１１４と、電子看板の動作制御を行う電子看板制御部１０４とで基本構成されている。【００３８】  さらに、電子看板１００’に、携帯電話２’や携帯端末２などと専用通信回線Ｎ３を経由して通信接続され、該電子看板１００’を通信接続制御を行う通信中継部３１と、基地局ＩＤを記憶している基地局ＩＤメモリ３２と、電子看板に配信されたコンテンツデータを転送するコンテンツ転送部３３と、外部装置との接続制御を行うＩ／Ｏ手段３４とを有するローカル基地局３追加設置されている。
ローカル基地局間３、３’及び携帯電話やＰＤＡなどの携帯端末２，２’との無線通信接続を可能とする専用通信回線Ｎ３と、該専用通信回線Ｎ３を通信制御する通信制御センタ（Ｓ）Ｃ６などがとを追加設置されている。【００３９】  さらに、電子看板１００’に、Ｉ／Ｏ手段１１４を経由してコンテンツの販売を受付ける販売コンテンツ受付部１１２ａと、該販売受付したコンテンツの配信を看板管理センタに請求するコンテンツ請求部１１２ｂとを有する販売コンテンツ手段１１２が追加設置されている。【００４０】  図３に示す本発明による多目的電子看板システムの第三の実施例の部分構成図を用いて、本願システムの詳細構成を説明する。
第三の実施例の多目的電子看板システムの看板管理センタＣ１の取引管理サーバ５は、
電子看板へのコンテンツ配信サービスを利用する広告クライアントとの受注管理を行う受注管理部５１ａと受注活動に必要なコンテンツ配信サービス枠を管理する受注枠管理部５１ｂとを有する受注管理手段５１と、該配信サービスの売上を管理する売上管理部５２ａを有する売上管理手段５２と、装置間の通信制御を行う通信制御手段５４とで基本構成されている。【００４１】  さらに、電子看板経由でメロディ、音楽、動画、アニメ、テキスト、壁紙データなどの販売用コンテツを購入するコンテンツ利用会員の取引管理を行う会員管理部５３ａと、会員登録を行う会員登録部５３ｂと、会員管理部へのアクセスを管理を行うアクセス管理部５３ｃと、購入希望のコンテンツの配信を指令するコンテンツ配信部５３ｄと、コンテンツ配信に伴う会員毎の課金データを管理する課金管理部５３ｅとを有するコンテンツ販売管理手段５３を追加設置せれている。【００４２】  第三の実施例の多目的電子看板システ厶の看板管理センタＣ１の電子看板制御サーバ６は、
電子看板へのコンテンツ配信を管理する配信管理部６２ａと電子看板毎に配信コンテンツ種別、配信日時秒などの稼働実績を管理する稼働実績管理部６２ｂとをから成る配信管理手段６２と、配信エラー管理する配信エラー管理部６１ｄと電子看板の設置場所、設置者、設置条件などの設置契約を管理する設置契約管理部６１ａとから成る看板管理手段６１で基本構成されている。【００４３】  さらに、配信エラーを管理する配信エラー管理部６１ｄ、看板設置者への支払を管理する支払管理部６１ｃ、配信エラー発生時に再配信を指令する再配信指令部６２ｃなどが追加設置されている。【００４４】  第三の実施例の多目的電子看板システムの看板管理センタＣ１のデータセンタＣ２は、
電子看板に配信する動画データ、画像データ、音声データ、テキストデータ、ＣＧデータなど電子看板用コンテンツデータを記憶している看板用コンテンツＤＢ  ７ａと、コンテンツを掲示する日時、看板設置地域、掲示時間帯、配信対象電子看板台数、配信回数、及びコンテンツ種別などの受注管理データを記憶している受注管理ファイル８ａと受注契約後該受注管理データを確定契約データとして登録する契約管理ファイル８ｂと稼働実績データを登録する配信実績ファイル８ｃと電子看板の看板ＩＤ、看板設置場所、看板利用単金テーブルなどの看板管理データ記憶している看板管理ファイル８ｄとでなる看板管理ＤＢ８と、
広告クライアント毎の配信サービス売上管理データを登録記憶している売上管理ファイル８ａと、電子看板のメンテナンス情報を記憶している看板メンテナンスファイル８’ｅとを有する売上管理ＤＢ８’とで基本構成されてる。【００４５】  さらに、会員ＩＤ、会員名、支払手段、連絡手段などを登録記憶する会員管理ファイル８’ｃと、該当会員の課金データを記憶している会員課金ファイル８’ｄとが追加設置されている。【００４６】  ＬＡＮなどの構内通信回線Ｎ２は、ファイヤーウォールＮ２ａを介して公衆通信回線網Ｎと通信接続され、看板管理センタＣ１内の装置は事実上公衆通信回線網Ｎと通信接続されている。【００４７】  図４に示す本発明による多目的電子看板システムの第四の実施例の部分構成図を用いて、本願システ厶の詳細構成を説明する。
第四の実施例の多目的電子看板システムの通信制御センタ（Ｍ）２０は、
構内通信回線Ｎ２との通信制御を行う通信制御手段２１と、看板管理センタＣ１からのコンテンツデータ及び配信制御データの受信制御を行う受信制御手段２２と、配信制御データに基づき配信制御行う配信制御手段２５と、同じく配信制御データに基づき割込配信制御を行う割込制御手段２６と、公衆通信回線網Ｎもしくは放送回線との通信制御を行う公衆回線制御手段２７とで構成されている。【００４８】  第四の実施例の多目的電子看板システムのデータ収集センタＣ３は、
電子看板に定時的にアクアセスする通信制御手段１１と、電子看板のコンテンツ記憶部より記憶登録されている配信データを収集する配信データ収集部９ａと該電子看板が通知した配信エラーデータを収集する配信エラー収集部９ｃとを有するデータ収集手段と、収集した配信データを記憶する配信データファイル１０ａと通知受信した配信エラーデータを記憶する配信エラーデータファイル１０ｂとを有する収集ＤＢ１０とで基本構成されている。【００４９】  さらに、電子看板より送信される撮像データを収集するカメラデータ収集部９ｃと、該カメラデータを記憶している監視データファイル１０ｃと、該監視データを所定のサイトに送信する監視データ送信部１２とが追加設置されている。【００５０】  第四の実施例の多目的電子看板システムの電子看板１００Ａには、
監視対象場面や人物などを撮像し映像信号を生成する撮像部４０と、該映像信号にデータ圧縮、合成・重畳などの画像処理を行い撮像データとする画像処理部４１と、音声入力部４２と、該撮像データを送信する撮像データ送信部４４と、装置の各部を動作制御するカメラ制御部４３とを有するカメラ手段４が追加設置されている。【００５１】  図５に示す本発明による多目的電子看板の配信方法の第一の実施例の動作フロー図を用いて、本願の多目的電子看板の基本配信方法を説明する。基本配信方法は図１乃至４に示す多目的電子看板システムを用いることを前提とする。
第一の実施例の多目的電子看板の基本配信方法は、
地域、電子看板の利用台数、コンテンツ、時間帯、利用時間などの商談に際し、取引管理サーバ５は利用可能な受注枠を検索して通知ＳＴ１し、地域、利用台数、コンテンツ、時間帯、利用時間などの契約内容を看板管理ＤＢ８に登録ＳＴ２し、新規コンテンツが必要な場合、コンテンツ制作センタＣ７に制作依頼すると共に制作済コンテンツはコンテンツＤＢ７に登録格納ＳＴ３し、配信管理手段６２は看板管理ＤＢ８より定時的に契約内容を読出し、該内容に基づいて配信番組スケジュールルを生成すると共に配信用コンテンツに配信制御データを添付して送出ＳＴ４し、該配信用コンテンツは、構内通信回線Ｎ２を経由して通信制御センタ（Ｍ）２０もしくは放送センタＣ４、又は公衆通信回線網Ｎに送出し、通信制御センタ（Ｍ））２０もしくは放送センタＣ４は該配信用コンテンツを一旦記憶装置に記憶、もしくは直接転送して公衆通信回線網Ｎ２又は放送回線に送出ＳＴ５する。【００５２】  第二の実施例の多目的電子看板の基本配信方法は、
電子看板１００は、公衆通信回線網Ｎまたは放送回線より配信データを配信制御データに基づいて選択受信し、受信コンテンツ及び配信制御データをコンテンツ記憶部に一旦記憶し、電子看板制御部１０４は随時受信コンテンツデータを読出し表示データ生成部１０３に入力し、表示データ生成部１０３は表示データを生成し、該表示データは表示部１０１及び音声出力部１０２より画像表示もしくは音声出力ＳＴ６する。【００５３】  第三の実施例の多目的電子看板の基本配信方法は、
通信エラー検出部１１１は、選択受信した受信コンテンツ及び配信制御データの通信エラー検知し、該通信エラーを電子看板制御サーバ６及びデータ収集センタＣ３に通知ＳＴ７し、電子看板サーバ６は、配信内容及び配信エラーなどを配信実績として看板管理ＤＢ８に随時記憶すると共に、通信エラーが発生した場合、基本的に再送信を指示ＳＴ８する。【００５４】  第四の実施例の多目的電子看板の基本配信方法は、
取引管理サーバ５は、定時的に配信実績データを読出し、集計すると共に看板配信売上を算出し、看板配信契約者毎に売上管理ファイル８’ａに記憶登録ＳＴ９する。【００５５】    『ローカル基地局の付加』
電子看板１００’にはＩ／Ｏ  １０５’によりローカル基地局３が接続されている。ローカル基地局３は、無線送受信のアンテナ３０を介して専用（無線）通信回線Ｎ３に通信接続され、携帯電話やＰＤＡなどの携帯端末２と、もしくはローカル基地局３’を介して他の電子看板１００’との通信送受が出来る。さらに、専用通信回線Ｎ３は通信制御センタ（Ｓ）Ｃ６により公衆通信回線網２とは独立して通信制御されており、同専用通信回線Ｎ３に無線接続されている装置間で相互通信が可能である。このことは、図１に示すように電子看板１受信したコンテンツを、ローカル基地局３→専用通信回線Ｎ３→ローカル基地局３’→他の電子看板１００’の如く転送することが出来る。他の電子看板１００’は補助看板装置として運用できる。【００５６】  携帯端末２’はローカル基地局３’を介して他の電子看板１００’と通信接続され、該電子看板の操作入力機能などを利用してコンテンツの検索、コンテンツのダウンロードなどが出来る。
さらに、該携帯端末を電子看板経由で看板管理センターＣ１の取引管理サーバ５に接続すると、会員登録部５３ｃが会員ＩＤ、取引条件、パスワード、携帯端末ＩＤなどの会員データを予め登録している携帯端末は、パスワード入力によりアクセスが許可される。
販売用コンテンツのダウンロード要求は電子看板の販売コンテンツ受付部１１２ａを介して取引管理サーバ５に通知認証され、コンテンツ配信部５３ｄが販売用コンテンツＤＢ  ７ｂより、画像、音楽、テキスト、メロディ、ゲームソフトなどの販売用コンテンツを該当電子看板に配信する。ローカル基地局３のコンテンツ転送部３３は受信した販売用コンテンツを該当携帯端末に転送する。一方取引管理サーバ５の課金管理部５３ｅは、該当会員に課金処理を行い売上管理ＤＢ８’の会員課金ファイル８’ｄに課金登録される。【００５７】    『通信エラー発生時の処理』
回線輻輳による配信データの途切れ、トラフィック障害、ノイズ障害等による通信エラー発生は、電子看板１００の通信エラー検出部１１０が検出し、通信エラー通知部１１１によりデータセンタＣ３及び看板管理センターＣ１に通知すと共にコンテンツ記憶部にも登録される。
データセンタＣ３の通信エラー収集部９ａは、通知された看板ＩＤ、年月・時刻、エラー種別、エラー発生時間などの通信エラーデータを受付けると共に配信エラーファイル１０ｂに記憶登録する。【００５８】  看板管理センターＣ１にある電子看板制御サーバ６の通信エラー管理部６１ｄは、通信エラーデータを受付けると、該通信エラーデータを再配信指令部６２ｃに転送する。該再配信指令部６２ｃは配信管理部に該当電子看板にエラーを起したコンテンツを再配信するよう指令し、該コンテンツは再配信される。
さらに、再度配信エラー通知があった場合や、他のコンテンツが輻輳していて再配信するタイミングが無いと判断した場合などには再配信を行わず、配信エラーとして配信実績ファイル８ｃに登録する。【００５９】    『監視画像の取込』
電子看板１００Ａには、カメラ手段４が追加設置されており、監視対象場面や人物などを撮像した撮像データは撮像データ送信部４４によりデータ収集センタＣ３のカメラデータ収集部９ｃに送信される。
尚、このデータ収集センタＣ３は、図１に於いては看板管理センターＣ１の外部に配置されているが、データ収集センタ内部に設置しても作用効果は変わらない。
該受信した撮像データは、カメラデータファイル１０ｃに記憶されると共に監視データ送信部１２が予め指定されたサイトに監視データとして再送信する。
該サイトでは通知された該監視データを、交通管制、災害現場の監視、広告現場の反応調査、音声データと合わたテレビ電話、防犯監視などの目的で利用されている。【００６０】    『電子看板の利用料金の集計』
電子看板制御サーバ６の稼働実績管理部６２ｂは、定時的に全ての電子看板のコンテンツ記憶部１０６より配信実績データを取寄せ、配信実績ファイル８ｃに記憶する。取引管理サーバ５の売上管理部５２ａは、該配信実績ファイル８ｃの配信実績データを基に、売上計算ファイル５５に予め記憶されている利用料金計算式及び計算パラメータを用いて、利用料金を計算し売上管理ファイル８’ａに広告クライアント毎に記憶登録する。【００６１】  図６に示す本発明による電子看板の配信利用料金の計算式を用いて、配信利用料金計算方法を説明する。
計算のパラメータを以下の如く定義し、
看板設置地域ランク係数を  ：ｌ
掲示時間帯別ランク係数を  ：ｂ
月日、曜日依存係数        ：ｄ
配信コンテンツランク係数を：ｃ
看板利用時間  ：ｔ
配信看板台数  ：ｎ
掲示回数      ：ｍ
電子看板毎の配信利用単金関数（単位時間当りの利用料金）：Ａ（＠）
クライアント毎の配信利用料金：Ｕ
利用料金の演算関数は、
電子看板毎の利用単金は、看板設置地域、利用時間帯、コンテンツの種別、
利用曜日及び月日に依存し、
Ａ（＠）＝Ａ（ｄ，ｌ，ｂ，ｃ）                （１）
クライアント毎の配信利用料金は、電子看板毎の利用単金、
利用電子看板台数、看板毎の利用時間、掲示回数に依存し各々の総和（Σ）
で表す。
Ｕ＝Σ（Ａ（＠）＊ｎ＊ｍ（又はｔ））【００６２】  『電子看板設置者に対す電子看板利用料の支払』
本願の電子看板システムには、電子看板設置者に電子看板の設置契約に基づき看板利用料の一部還元をする仕組みを有している。
電子看板制御サーバ６の設置契約管理部６１ａは、設置契約条件を契約管理ファイル８ｂに、看板設置者などの看板属性は看板管理ファイル８ｄに登録されている。
利用実績管理部６１ｂは、看板設置者毎の看板利用実績を集計すると共に設置契約条件を参照して利用料金を算出し、支払管理部６１ｃは支払料金として支払管理ファイル８’ｂに登録する。
看板利用料金は、支払管理ファイル８’ｂのデータに基づき看板設置者もしくは看板所有者などにの支払われる。
【発明の効果】
【００６３】  本発明は以上に説明した内容で実施され、以下に述べる効果を奏する。
商談に際し、取引管理サーバは利用可能な受注枠を検索して通知し、契約内容を看板管理ＤＢに登録し、該内容に基づいて配信番組スケジュールルを生成すると共に配信用コンテンツに配信制御データを添付して送出し、該配信用コンテンツは、構内通信回線を経由して通信制御センタ（Ｍ）もしくは放送センタ、又は公衆通信回線網に送出し、通信制御センタ（Ｍ））もしくは放送センタは該配信用コンテンツを一旦記憶装置に記憶、もしくは直接転送して公衆通信回線網又は放送回線に送出し、電子看板は随時受信コンテンツデータを読出し、表示部及び音声出力部より画像表示もしくは音声出力すると共に、選択受信した受信コンテンツ及び配信制御データの通信エラー検知し、該通信エラーを電子看板制御サーバ及びデータ収集センタに通知する多目的電子看板システムと電子看板の配信方法の提案を行うことが出来た。
【図面の簡単な説明】
【００６４】
【図１】  本発明による多目的電子看板システムの第一の実施例の基本システム構成図である。
【図２】  本発明による多目的電子看板システムの第二の実施例の部分構成図である。
【図３】  本発明による多目的電子看板システムの第三の実施例の部分構成図である。
【図４】  本発明による多目的電子看板システ厶の第四の実施例の部分構成図である。
【図５】  本発明による多目的電子看板の基本配信方法の第一の実施例の動作フロー図である。
【図６】  本発明による電子看板の配信利用料金の計算式である。
【符号の説明】
【００６５】Ｃ１  看板管理センタ
Ｃ２  データセンタ
Ｃ３  データ収集センタ
Ｃ４  放送センタ
Ｃ６  通信制御センタ（Ｓ）
Ｃ７  コンテンツ制作センタ
Ｎ  公衆通信回線網
Ｎ２  構内通信回線
Ｎ２ａ  ファイヤーウォール
Ｎ３  専用通信回線
２  携帯端末
２’  携帯電話
３、３’  ローカル基地局
４  カメラ手段
５  取引管理サーバ
６  電子看板制御サーバ
７  看板用コンテンツＤＢ
７ａ  看板用コンテンツＤＢ
７ｂ  販売コンテンツＤＢ
７’、１１、２１、５４、６３  通信制御手段
８  看板管理ＤＢ
８ａ  受注管理ファイル
８ｂ  契約管理ファイル
８ｃ  配信実績ファイル
８ｄ  看板管理ファイル
８’  売上管理ＤＢ
８’ａ  売上管理ファイル
８’ｂ  支払管理ファイル
８’ｃ  会員管理ファイル
８’ｄ  会員課金ファイル
８’ｅ  看板メンテナンスファイル
９  データ収集手段
９ａ  配信データ収集部
９ｂ  配信エラー収集部
９ｃ  カメラデータ収集部
１０  収集データＤＢ
１０ａ  配信データファイル
１０ｂ  配信エラーデータファイル
１０ｃ  監視データファイル
１２  監視データ送信部
２０  通信制御センタ（Ｍ）
２２  受信制御手段
２３  コンテンツＤＢ
２４  配信制御ＤＢ
２５  配信制御手段
２６  割込制御手段
２７  公衆回線制御手段
３０  アンテナ
３１  通信中継部
３２  基地局ＩＤメモリ
３３  コンテンツ転送部
３４、４６、１１３、１１４  Ｉ／Ｏ手段
４０  撮像部
４１  画像処理部
４２  音声入力部
４３  カメラ制御部
４４  撮像データ送信部
５１  受注管理手段
５１ａ  受注管理部
５１ｂ  受注枠管理部
５２  売上管理手段
５２ａ  売上管理部
５２ｂ  売上請求管理部
５３  コンテンツ販売管理手段
５３ａ  会員管理部
５３ｂ  会員登録部
５３ｃ  アクセス管理部
５３ｄ  コンテンツ配信部
５３ｅ  課金管理部
５５  売上計算ファイル
６１  看板管理手段
６１ａ  設置契約管理部
６１ｂ  利用実績管理部
６１ｃ  支払管理部
６１ｄ  配信エラー管理部
６２  配信管理手段
６２ａ  配信管理部
６２ｂ  稼働実績管理部
６２ｃ  再配信指令部
１００、１００’、１００”、１００Ａ、１００Ｂ、１００Ｃ  電子看板装置
１０１  表示部
１０２  音声出力部
１０３  表示データ生成部
１０４  電子看板制御部
１０５  操作入力部
１０６  コンテンツ記憶部
１０７  看板ＩＤメモリ
１０８  コンテンツデータ受信部
１０９  通信制御部
１１０  通信エラー検出部
１１１  通信エラー通知部
１１２  販売コンテンツ手段
１１２ａ  販売コンテンツ受付部
１１２ｂ  コンテンツ請求部
【図１】
2005092164.tif 000003
【図２】
2005092164.tif 000004
【図３】
2005092164.tif 000005
【図４】
2005092164.tif 000006
【図５】
2005092164.tif 000007
【図６】
2005092164.tif 000008